(57)【要約】【課題】アスペクト比の異なる複数のモニタのそれぞれの画面に適合する映像を共通のビデオメモリから得ることができる映像表示制御装置を提供する。【解決手段】フレームコントローラ部１２１は、Ａ／Ｄ変換器１１−１〜１１−７夫々からのデジタル映像信号をフレームメモリ部１２２に格納するとともに、演算部１２３からの指示に従い、フレームメモリ部１２２から多画面イメージのデジタル映像を切り出し、１６：９画角の多画面と１６：９画角内の４：３画角の多画面を構成し、１６：９画角の多画面をＨＤＭＩ信号変換部１４へ出力し、１６：９画角内の４：３画角の多画面を映像縮小部１２４へ出力し、演算部１２３は、フレームコントローラ部１２１によりフレームメモリ部１２２から複数のデジタル映像信号の全部又は一部に相当する映像が切り出される比率が１６：９又は４：３となるように制御する。【選択図】図１
2010273107.tif 000002
【特許請求の範囲】
【請求項１】
メモリ手段と、
入力された複数のデジタル映像信号を前記メモリ手段へ格納し、外部からの指示に従い前記メモリ手段から前記複数のデジタル映像信号の全部又は一部に相当する映像を切り出し多画面表示するコントローラ手段と、
前記コントローラ手段により前記メモリ手段から前記複数のデジタル映像信号の全部又は一部に相当する映像が切り出される比率が前記指示により指定された値となるように前記コントローラ手段を制御する演算手段と、
を備えた映像表示制御装置。
【請求項２】
前記メモリ手段は、デジタル映像信号をフレーム単位で記憶するフレームメモリである請求項１に記載の映像表示制御装置。
【請求項３】
前記演算手段は、前記メモリ手段から前記複数のデジタル映像信号の全部又は一部に相当する映像が切り出される比率が１６：９又は４：３となるように前記コントローラ手段を制御する請求項１又は請求項２に記載の映像表示制御装置。
【請求項４】
前記コントローラ手段により切り出された映像を表示サイズに合わせて縮小する映像縮小手段を備えた請求項１乃至請求項３のいずれかに記載の映像表示制御装置。
【発明の詳細な説明】
【技術分野】
【０００１】
本発明は、監視システムに用いて好適な映像表示制御装置に関する。
【背景技術】
【０００２】
監視システムは、一般的に複数のカメラと、複数のカメラのそれぞれからの映像を記録するレコーダとを備える。
【０００３】
監視システムには、各カメラからの映像及びレコーダに記録された映像を表示するためのモニタが接続されるが、このモニタは、近年、従来から用いられているアスペクト比４：３のものから１６：９のものへ変わりつつある。また、それに伴って監視システムが持つモニタ出力端子も４：３用のコネクタ（例えば、ＢＮＣ型コネクタ）と１６：９用のコネクタ（例えば、ＨＤＭＩ型コネクタ）の両方を持つようになってきている。
【０００４】
カメラの台数分の映像を分割して１画面に同時表示する監視システムの分割パターンは、４：３用と１６：９用が存在する。図４に示すように、１６：９のモニタ１００に４：３比率の分割パターンを表示すると、左右合わせで約２５％の非映像領域２００が発生する。このようなことから、モニタ１００の表示領域を有効に活用することができない。また、４：３のモニタに１６：９比率の分割パターンを表示すると、上下に合わせて約２５％の非映像領域が発生し、上記と同様の問題が生ずる。
【０００５】
特許文献１に、１６：９のモニタに、それぞれが４：３比率の複数の画像を表示する際に、モニタ画面の非映像領域が一番少なくなるように、各画像の面積を調整する技術が開示されている。
【先行技術文献】
【特許文献】
【０００６】
【特許文献１】特開２００８−２８９０９１号公報
【発明の概要】
【発明が解決しようとする課題】
【０００７】
しかしながら、図５に示すように、１６：９のモニタ１００と４：３のモニタ１１０のそれぞれにおいて、非映像領域２００が発生しないように分割映像を表示する為には、モニタ１００とモニタ１１０に映像を出力する映像表示制御装置にモニタ１００用とモニタ１１０用のそれぞれのビデオメモリが必要となり、コストアップになってしまうという問題がある。
【０００８】
本発明は、係る事情に鑑みてなされたものであり、アスペクト比の異なる複数のモニタのそれぞれの画面に適合する映像を共通のビデオメモリから得ることができる映像表示制御装置を提供することを目的とする。
【課題を解決するための手段】
【０００９】
本発明の映像表示制御装置は、メモリ手段と、入力された複数のデジタル映像信号を前記メモリ手段へ格納し、外部からの指示に従い前記メモリ手段から前記複数のデジタル映像信号の全部又は一部に相当する映像を切り出し多画面表示するコントローラ手段と、前記コントローラ手段により前記メモリ手段から前記複数のデジタル映像信号の全部又は一部に相当する映像が切り出される比率が前記指示により指定された値となるように前記コントローラ手段を制御する演算手段と、を備えた。
【００１０】
上記構成によれば、メモリ手段に格納した複数のデジタル映像信号の全部又は一部に相当する映像を指示された比率で切り出すので、アスペクト比の異なる複数のモニタのそれぞれの画面に適合する映像を共通のメモリ手段から得ることができる。
【００１１】
上記構成において、前記メモリ手段は、デジタル映像信号をフレーム単位で記憶するフレームメモリが望ましい。
【００１２】
上記構成において、前記演算手段は、前記メモリ手段から前記複数のデジタル映像信号の全部又は一部に相当する映像が切り出される比率が１６：９又は４：３となるように前記コントローラ手段を制御する。
【００１３】
上記構成によれば、アスペクト比が１６：９のモニタと４：３のモニタのそれぞれの画面に適合する映像を共通のメモリ手段から得ることができる。
【００１４】
上記構成において、前記コントローラ手段により切り出された映像を表示サイズに合わせて縮小する映像縮小手段を備えた。
【００１５】
上記構成によれば、切り出した映像のサイズを縮小できるので、表示サイズより大きい場合、該サイズに合わせることができる。
【発明の効果】
【００１６】
本発明は、アスペクト比の異なる複数のモニタのそれぞれの画面に適合する映像を共通のメモリ手段から得ることができる。
【図面の簡単な説明】
【００１７】
【図１】本発明の一実施の形態に係る監視システムの概略構成を示すブロック図
【図２】図１に示す映像表示制御装置の機能を説明するための図
【図３】図１に示す映像表示制御装置からの映像のレコーダによるアスペクト比の異なる２台のモニタへの表示例を示す図
【図４】従来技術の問題点を説明するための図
【図５】従来技術の問題点を説明するための図
【発明を実施するための形態】
【００１８】
以下、本発明を実施するための好適な実施の形態について、図面を参照して詳細に説明する。
【００１９】
図１は、本発明の一実施の形態に係る監視システムの概略構成を示すブロック図である。本実施の形態の監視システム１は、７台のカメラ１０−１〜１０−７と、７つのアナログ／デジタル変換部（以下、“Ａ／Ｄ変換部”と呼ぶ）１１−１〜１１−７と、映像表示制御装置１２と、デジタル／アナログ変換部（以下、“Ｄ／Ａ変換部”と呼ぶ）１３と、ＨＤＭＩ信号変換部１４と、アスペクト比４：３のモニタ１１０と、アスペクト比１６：９のモニタ１００とを備えている。映像表示制御装置１２は、フレームコントローラ部（コントローラ手段）１２１と、フレームメモリ部（メモリ手段）１２２と、演算部（演算手段）１２３と、映像縮小部１２４とを備えている。Ａ／Ｄ変換部１１−１〜１１−７、映像表示制御装置１２、Ｄ／Ａ変換部１３及びＨＤＭＩ変換部１４はレコーダ２０を構成する。なお、Ａ／Ｄ変換部１１−１〜１１−７をカメラ１０−１〜１０−７に持たせることも可能であり、このようにすることで、レコーダ２０における処理負荷を軽減できる。
【００２０】
各カメラ１０−１〜１０−７は、撮像した動画像をアナログの映像信号として出力する。各Ａ／Ｄ変換部１１−１〜１１−７は、対応するカメラ１０−１〜１０−７からのアナログ映像信号をデジタル変換して出力する。
【００２１】
フレームコントローラ部１２１は、Ａ／Ｄ変換部１１−１〜１１−７それぞれからのデジタル映像信号をフレーム単位でフレームメモリ部１２２に格納して多画面イメージを構成する。また、フレームコントローラ部１２１は、演算部１２３からの指示に従い、フレームメモリ部１２２から多画面イメージのデジタル映像を切り出し、１６：９画角の多画面と１６：９画角内の４：３画角の多画面を構成し、１６：９画角の多画面についてはＨＤＭＩ信号変換部１４へ出力し、１６：９画角内の４：３画角の多画面については映像縮小部１２４へ出力する。
【００２２】
図２にその一例を示す。図２において、（ａ）は１６：９画角の多画面であり、（ｂ）は１６：９画角内の点線の枠５０内の４：３画角の多画面である。（ｂ）の４：３画角の多画面は４：３のモニタ１１０に表示するにはサイズが大きいので、映像縮小部１２４で縮小される。すなわち、４：３のモニタ１１０の表示サイズに合わせて縮小される。このようにフレームコントローラ部１２１は、演算部１２３からの指示に従い、フレームメモリ部１２２から複数のデジタル映像信号の全部又は一部に相当する映像を切り出して多画面を構成する。
【００２３】
フレームメモリ部１２２は、ＤＲＡＭ（Dynamic RAM）等の揮発性メモリを有し、デジタル映像信号を蓄積する。演算部１２３は、ＣＰＵ（Central Processing Unit）を有し、フレームコントローラ部１２１に対して、フレームメモリ部１２２に蓄積された複数のデジタル映像から、指定された比率の映像を切り出す指示を与える。例えば、演算部１２３は、フレームコントローラ部１２１によりフレームメモリ部１２２から複数のデジタル映像信号の全部又は一部に相当する映像が切り出される比率が１６：９又は４：３となるように制御する。これにより、フレームメモリ部１２２から、４：３のモニタ１１０と１６：９のモニタ１００のそれぞれの画面に適合する映像を得ることができる。
【００２４】
映像縮小部１２４は、フレームコントローラ部１２１により切り出された映像をモニタ１１０の表示サイズに合わせて縮小する。上述したように、４：３画角の多画面は４：３のモニタ１１０に表示するにはサイズ的に大きいので、モニタ１１０の表示サイズに合うように縮小される。Ｄ／Ａ変換部１３は、映像表示制御装置１２から出力されるデジタル映像信号をアナログ変換して出力する。ＨＤＭＩ信号変換部１４は、フレームコントローラ部１２１から与えられた１６：９画角の多画面のデジタル映像信号をＨＤＭＩ（High Definition Multimedia Interface）信号に変換してモニタ１００へ出力する。モニタ１００は、ＨＤＭＩ信号変換部１４でＨＤＭＩ信号に変換されたデジタル映像信号を表示する。モニタ１１０は、Ｄ／Ａ変換部１３からのアナログ映像信号を表示する。
【００２５】
図３において、レコーダ２０で生成する映像は、１６：９のアスペクト比に合致する複数画面とし、１６：９のモニタ１００にはその画角構成のまま表示する。さらに、その画面の左上から４：３の領域（点線５０で示す枠内の領域）を切り出して、４：３のモニタ１１０に表示する。このとき点線５０で示す枠内の領域の映像は、４：３比率で適合する分割映像とする。この４：３の領域外は、４：３比率の映像が縦に３個表示できる。
【００２６】
このように本実施の形態の監視システム１によれば、映像表示制御装置１２において、フレームコントローラ部１２１は、Ａ／Ｄ変換器１１−１〜１１−７それぞれからのデジタル映像信号をフレームメモリ部１２２に格納するとともに、演算部１２３からの指示に従い、フレームメモリ部１２２から多画面イメージのデジタル映像を切り出し、１６：９画角の多画面と１６：９画角内の４：３画角の多画面を構成し、１６：９画角の多画面についてはＨＤＭＩ信号変換部１４へ出力し、１６：９画角内の４：３画角の多画面については映像縮小部１２４へ出力し、演算部１２３は、フレームコントローラ部１２１によりフレームメモリ部１２２から複数のデジタル映像信号の全部又は一部に相当する映像が切り出される比率が１６：９又は４：３となるように制御する。これにより、１つのフレームメモリ部１２２から、４：３のモニタ１１０と１６：９のモニタ１００のそれぞれの画面に適合する映像を得ることができる。
【００２７】
このようにすることで、例えば、スーパーやコンビニエンスストアなどの店内のモニタに表示するものは４：３のモニタ１１０を置き、従業員しか入らない奥の監視室には１６：９のモニタ１００を置けば、お客様に見られたくない映像は右側の縦の３個に表示させて監視することもできる。
【００２８】
また、映像縮小部１２４は、フレームコントローラ部１２１により切り出された映像を表示サイズに合わせて縮小するので、切り出した映像のサイズが表示サイズより大きい場合に、該表示サイズに合わせることができる。
【００２９】
なお、本実施の形態では、７台のカメラ１０−１〜１０−７と、それに合わせて７つのＡ／Ｄ変換部１１−１〜１１−７を備えたが、カメラの台数に限定はなく任意であり、Ａ／Ｄ変換部も使用するカメラの台数に合わせればよい。
【産業上の利用可能性】
【００３０】
本発明は、アスペクト比の異なる複数のモニタのそれぞれの画面に適合する映像を共通のビデオメモリから得ることができるといった効果を有し、監視システムなどへの適用が可能である。
【符号の説明】
【００３１】
１  監視システム
１０−１〜１０−７  カメラ
１１−１〜１１−７  アナログ／デジタル変換部
１２  映像表示制御装置
１３  デジタル／アナログ変換部
１４  ＨＤＭＩ信号変換部
２０  レコーダ
１００  １６：９のモニタ
１１０  ４：３のモニタ
１２１  フレームコントローラ部
１２２  フレームメモリ部
１２３  演算部
１２４  映像縮小部
【図１】
2010273107.tif 000003
【図２】
2010273107.tif 000004
【図３】
2010273107.tif 000005
【図４】
2010273107.tif 000006
【図５】
2010273107.tif 000007